(57)【要約】【課題】三角柱の回転広告板では、別の照明装置無しに三角柱の内部に設けられている自体の照明装置により、夜間や室内の広告において、広告の効果を極大化し、三角柱の回転中、自体の照明装置は、回転せず、三角柱の停止中に、向きが常に一定に置かれるようにすることで、三角柱に表現されてある広告の効果を増進させる。【解決手段】三角柱の内部に照明装置を設けている三角柱の回転広告板では、三角柱の内部に電源線を設けず、照明装置の電極を、三角柱に挿入されている回転板の挿入口に貫通・挿入し、電極ホルダを支持台に結合せしめることにより、三角柱の回転中のとき、照明装置は回転せず、三角柱のみが回転し、バネの作用により、三角柱の停止中のときは、上方が一定に置かれることになる。【選択図】図１
0003108563.tif 000002
【実用新案登録請求の範囲】
【請求項１】
それぞれの三角柱の内部にランプを設ける三角柱の回転広告板の設置構造であって、
それぞれの三角柱の内部に電源線を設けず、前記ランプの第１及び第２電極プラグの第１及び第２電極を、三角柱に挿入されている回転板の挿入口に貫着し、前記第１電極プラグの第１電極を、第１軸受ブラケット柱に結合された第１支持台に結合されるようにし、前記第２電極プラグの第２電極を、電極ホルダに結合されるようにすることで、三角柱の回転中のとき、ランプは回転を行わず、三角柱のみが回転するように構成することを特徴とする三角柱の内部に照明装置が設けられている三角柱の回転広告板。
【請求項２】
それぞれの第１軸受ブラケット柱の前記第１支持台に結合されている前記第１電極を並設するために、前記第１電極と結合されている前記第１支持台に第１端子を結合するようにし、この結合されている多数の第１端子を第１電源線に連結されるように構成し、それぞれの電極ホルダに結合されている前記第２電極を並設するために、前記第２電極と結合されている前記電極ホルダと第２端子は、第２支持台により結合され、これらの多数の第２端子を第２電源線に連結されるように構成することを特徴とする請求項１に記載の三角柱の内部に照明装置が設けられている三角柱の回転広告板。
【請求項３】
第１電極プラグの前記第１電極が、前記第１軸受ブラケット柱に結合されている第１支持台に結合され、前記第２電極が、前記第２電極と結合されている前記電極ホルダにより第２軸受ブラケット柱に結合することで、三角柱の回転中のとき、ランプは回転を行わず、三角柱のみが回転するように構成することを特徴とする請求項１に記載の三角柱の内部に照明装置が設けられている三角柱の回転広告板。
【請求項４】
前記ランプが蛍光ランプである請求項１乃至請求項３の何れかに記載の三角柱の回転広告板。
【請求項５】
バネ、回転部材及び軸受ブラケット柱に、回転軸が挿着され、前記バネの押圧作用を受ける回転部材が、前記回転軸により回転される三角柱の回転広告板であって、
前記バネの押圧作用を受ける前記回転部材の案内翼は、三角柱を回転させる回転板が回転を行わず、停止している間、前記回転部材の前記案内翼が、前記バネの作用により、前記回転板の突出部の外側の長面を押しているため、前記突出部が常に一定の方向に置かれるようにすることで、前記三角柱が回転を行わず、停止している間、向きが常に一定に置かれるように構成することを特徴とする三角柱の回転広告板。
【請求項６】
バネ、回転部材及び軸受ブラケット柱が挿入されている回転軸により連結された三角柱の回転広告板であって、
前記バネの両端に、バネ支持環が位置するように、前記回転軸により挿入されている前記バネ支持環は、三角柱を回転させる回転板が回転を行わず、停止している間、前記回転部材の案内翼が、前記バネの作用により前記回転板の突出部の外側の長面を押しているため、前記突出部が常に一定の方向に置かれるようにする前記バネの押圧作用を増進させるように構成することを特徴とする三角柱の回転広告板。
【考案の詳細な説明】
【技術分野】
【０００１】
本考案は、多数の三角柱を回転することで、それぞれの三角柱に印刷されている広告面を変化させる三角柱の回転広告板に関し、更に詳しくは、それぞれの三角柱の内部に外部電極蛍光ランプを設け、内部照明により広告の効果を極大化できるそれぞれの三角柱の内部に照明装置が設けられている三角柱の回転広告板の設置構造に関する。
【背景技術】
【０００２】
三角柱の面ごとに異なる広告を付着し、その三角柱を回転することで、１つの広告板により３種類の広告が実施できるようにする三角柱の回転広告板が広く用いられている。この広く用いられている三角柱の回転広告板の作用は、モータにより回転軸を回転させ、回転される回転軸は、回転部材を回転することになり、その回転部材は、これに連接する三角柱を停止または回転させることにより、その広告板を変化させることである。
【０００３】
三角柱の面ごとに異なる広告を付着し、その三角柱を回転させる三角柱の回転広告板は、夜間や暗い室内に設置するとき、広告面が正確に見えず、広告の効果が低減するため、三角柱の回転広告板の外側に照明灯を設置するか、三角柱の回転広告板から一定の距離だけ離れた場所に別途の照明灯を設置することで、三角柱の回転広告板を照らし、夜間や暗い室内で三角柱の回転広告板の広告を、より正確に、人に伝達することができるようにした。
【０００４】
また、それぞれの三角柱の内部に蛍光灯を設け、三角柱の内部の蛍光灯から発散する光により照明がなされる、三角柱の内部に蛍光灯が設けられた三角柱の回転広告板の場合、三角柱の内部に安定器、電源線などを設ける必要がある。また、それぞれの三角柱の内部に設置された安定器の電源線を三角柱の外部に、それぞれ、配線を行う必要があるため、配線構造が難しく、且つ、複雑になり、作業に困難がある。更に、安定器から発生する高熱により、三角柱に付着されている印刷物が損傷し、広告の効果が低減する不都合があった。
【０００５】
更に、従来の三角柱の回転広告板では、回転軸により回転を行うとき回転部材が不安定であり、三角柱の停止時、見える向きが常に一定ではないことから、三角柱に付着されている広告を一定に見せることができない不都合がある。
【考案の開示】
【考案が解決しようとする課題】
【０００６】
本考案は、上記のような不都合を解決するためになされたものであり、多数の三角柱を回転させることで、各面ごとに異なる広告が実施できるようにする三角柱の回転広告板であって、それぞれの三角柱の内部に外部電極蛍光ランプを設けることで、電源線の配線構造が、極めて簡便であり、それぞれの三角柱の内部に設けられている外部電極蛍光ランプは、長時間続けて作動しても、熱がほとんど発生せず、且つ、照明の効果に優れ、三角柱の一端の回転板が、軸受ブラケット柱に結合されている支持台にスムーズに着脱され、三角柱の他端の回転板に挿入されている電極が電極ホルダと結合し、結合された電極ホルダが、支持台により軸受ブラケット柱にスムーズに着脱されるため、それぞれの三角柱に付着している印刷広告物の広告の効果を極大化することができる三角柱の内部に照明装置が設けられている三角柱の回転広告板の設置構造に関するものである。
【０００７】
また、軸受ブラケットの軸受ブラケット柱は、１つから形成するようにし、軸受ブラケット柱、回転部材及びバネは、回転軸により連結され、バネの押圧作用を受ける回転部材の案内翼は、三角柱を回転させる回転板が、回転を行わず、停止している間、回転部材の案内翼が、バネの作用により回転板の突出部の外側の長面を押していることから、突出部が常に一定の方向に置かれるようにすることで、三角柱挿入部により、回転板に挿入されている三角柱が停止しているとき、向きが常に一定に置かれるようにすることで、三角柱に表現されている広告物の広告の効果を極大化することができる三角柱の回転広告板の設置設置構造に関するものである。
【考案の効果】
【０００８】
本考案は、多数の三角柱を回転することで、各面ごとに異なる広告が実施できるようにする三角柱の回転広告板であって、それぞれの三角柱の内部に外部電極蛍光ランプを設けることにより、電源線の配線構造が、極めて単純であり、安定器から発生する熱がなく、夜間または室内の広告に際して、三角柱の内部から発散する光により照明がなされるようにすることにより、照明構造を単純化すると共に、広告板の概観を単純化し、より明るい照明で広告の効果を極大化することができ、三角柱を回転させる回転板が回転を行わず、停止している間、バネが、回転部材の案内翼が回転板の突出部の外側の長面を押す押圧作用を行い、突出部が常に一定の方向に置かれるようにして、回転板に挿入されている三角柱が停止しているとき、向きが常に一定に置かれるようにすることで、三角柱の回転広告板の広告の効果を極大化することができるようにしたものである。
【考案を実施するための最良の形態】
【０００９】
以下、本考案の好適な実施例を、添付の図面を参照して詳細に説明する。
【００１０】
図１、図４は、本考案の分離斜視図、図２は、軸受ブラケット６、電極ホルダ２７及び電極プラグ１の結合構造を示す部分側面図、図３は、本考案の結合状態を示す斜視図、図５は、本考案のバネ３、回転部材１８、回転軸２１の結合図、図６は、本考案の三角柱の回転構造を示す斜視図、図７は、本考案の使用状態図である。
【００１１】
三角柱１２を回転せしめて、三角柱１２の各面ごとに異なる広告が実施できるようにする。三角柱１２の内部の外部電極蛍光ランプ５、５−１は、電極プラグ１、１´に形成されている外部電極蛍光ランプ挿入口４、４−１に差し込まれる（図１）。三角柱１２の両端には、回転板１３、１３´が設けられており、回転板１３、１３´の挿入口１５、１５´に挿入されている電極２、２´を回転軸にして、軸受ブラケット柱２９´の回転軸挿入口１１に挿入されて回転する回転軸２１と回転部材１８により三角柱１２が回転することになる（図４）。
【００１２】
端子９及び導体の電極ホルダ２７は、支持台７により軸受ブラケット柱２９の側面に螺合される。電極プラグ１の電極２は、回転板１３の挿入口１５を貫通し、電極ホルダ２７の螺子穴２４及び軸受ブラケット柱２９の螺子穴２４´に挿着される。電極プラグ１の柱２８は、回転板１３の挿入口１５に挿入され、回転板１３が柱２８に回転駆動自在に結合される。他方の端子９´は、軸受ブラケット柱２９´の上面に、導体の支持台７´により螺合される。電極プラグ１´の電極２´は、回転板１３´の挿入口１５´を貫通し、支持台７´の中心に形成されている螺子穴２４″に挿着される。電極プラグ１´の柱２８´は、回転板１３´の挿入口１５´に挿入され、回転板１３´が、柱２８´に回転駆動自在に結合される。よって、電極プラグ１、１´の電極２、２´が、軸受ブラケット柱２９、２９´に固着され、電極プラグ１、１´の柱２８、２８´が回転板１３、１３´の挿入口１５、１５´に回転自在に挿入され、回転板１３、１３´の回転軸の役割を行い、三角柱１２の回転中のとき、三角柱１２の内部の外部電極蛍光ランプ５、５−１は、回転を行わず、三角柱１２のみが回転を行う。
【００１３】
外部電極蛍光ランプ５、５−１は、電極プラグ１、１´の外部電極蛍光ランプ挿入口４、４−１に挿入される。好ましくは、三角柱の回転広告板の全ての端子９は、電源線１０により並設される。また、全ての端子９´も、電源線１０´により並設されることにより、全ての外部電極蛍光ランプ５、５−１は、１つの電源により駆動される。
【００１４】
三角柱１２の各３面に、それぞれ異なる広告を印刷し、上述のような構成で装着した後、モータにより回転する回転軸２１は、回転部材１８を回転させ、この回転部材１８に連接している回転板１３´が三角柱１２を停止又は回転させ、図６に示すように、作動する。
【００１５】
三角柱挿入部１４、１４´により、回転板１３、１３´が三角柱１２に結合されている、それぞれの三角柱１２の内部に電源線１０、１０´を設けず、それぞれの三角柱１２の内部に外部電極蛍光ランプ５、５−１が設けられている三角柱の回転広告板の設置構造であって、三角柱１２のみ回転を行うようにし、外部電極蛍光ランプ５、５−１は、回転を行わず、照明がなされるようにすることで、広告の効果を極大化することは言うまでもなく、設置費用を節約し、且つ、作業を容易にすることができるようにしたものである。
【００１６】
以上、本考案の好適な実施例を説明したが、本考案は、このような構成に制限されるものではない。すなわち、本考案の思想や範囲内で様々な修正変更及び付加が可能である。例えば、三角柱１２の内部に設ける照明装置として、外部電極蛍光ランプ５、５−１の代わりに、冷陰極蛍光ランプや発光ダイオードランプなどが用いられることができ、外部電極蛍光ランプ５、５−１は、好ましくは、プラズマ発光ランプである。電極２、２´、柱２８、２８´は、好ましくは、金属で一体に形成することができる。また、柱２８、２８´は、プラスチックで一体に成型した後、電極２、２´を、その中心に挿入した形に構成することもできる。
【００１７】
本考案の照明装置として、蛍光ランプが用いられる場合、安定器は、三角柱１２の外部に設けられる。１つの安定器で全ての蛍光ランプを駆動する種類の蛍光ランプであることが好ましい。
【００１８】
軸受ブラケット６、６´は、軸受ブラケット柱２９、２９´と軸受ブラケットベース２６、２６´とを含み、一体に製作することができ、且つ、軸受ブラケット柱２９、２９´と軸受ブラケットベース２６、２６´とを一体に製作して結合することもでき、軸受ブラケットベース２６、２６´は、省略することもできる。図７の回転広告板は、多数の三角柱１２が垂直に配列される構図であるが、これとは異なって、多数の三角柱１２が水平に配列される構図であり得る。
【００１９】
また、三角柱が停止しているとき、向きが常に一定に置かれるようにする、考案の好適な実施例を、添付の図、特に、図４、図５、図６を参照して詳細に説明する。
【００２０】
軸受ブラケット柱２９´、回転部材１８及びバネ３とは、六角回転軸２１により連結される。回転部材１８の外周面に形成されている案内翼１９は、柱状になる案内突起２０の突出部分を中心に、２面が一定な角度で切開されて形成されている。軸受ブラケット柱２９´には、回転軸挿入口１１が形成されている。
【００２１】
軸受ブラケット柱２９´の回転軸挿入口１１と、回転部材１８の六角刑回転軸挿入口３０に、回転軸２１が挿入される。回転軸２１により、バネ３及び回転部材１８は、軸受ブラケット柱２９´に連接される。回転板１３´の底部には、突出部１６と案内溝１７が形成されており、回転軸２１により回転する回転部材１８の柱状の案内突起２０により連動する回転板１３´と、三角柱挿入部１４により回転板１３´に挿入させられる三角柱１２が、回転及び停止を行うことになる。
【００２２】
以下、回転構造の作動を説明する。
【００２３】
各３面に、それぞれ異なる広告を付着している三角柱１２を、上述のような構成に装着した後、作動を行うと、モータが回転し、減速機により減速された回転力は、六角棒の回転軸２１を回転させる。
【００２４】
軸受ブラケット柱２９´、回転部材１８及びバネ３とは、回転軸が挿入させられて連結し、回転軸２１に挿入されている回転部材１８が、回転軸２１により回転を行うとき、バネ３の押圧作用を受ける回転部材１８の案内翼１９は、三角柱１２を回転させる回転板１３´が回転を行わず、停止している間、バネ３の作用により、回転板１３´の突出部１６の外側の長面を押していることから、突出部１６が常に一定の方向に置かれるようにし、三角柱挿入部１４´により回転板１３´に挿入されている三角柱１２が停止しているとき、向きが常に一定に置かれるようにすることで、それぞれの三角柱１２に付着されている広告物が一定に見えるように、図６に示すように作動するものになる。
【００２５】
具体的には、バネ３は、回転部材１８と、次の配列の軸受ブラケット柱の裏面２３との間の空間に位置するように、回転軸２１により挿入させられ、回転部材１８が回転軸２１により回転を行うとき、バネ３の作用により回転部材１８の案内翼１９が回転板１３´の突出部１６の外側の長面を押していることから、三角柱１２を回転させる回転板１３´が回転を行わず、停止している間、突出部１６が常に一定の方向に置かれるようにすることで、三角柱１２の停止中のとき、常に向きが一定であり、各三角柱１２に付着されている広告面が常に一定に見えるようにすることにより、広告の効果を増進させるものである。
【００２６】
三角柱１２を回転させる回転板１３´が回転を行わず、停止している間、回転部材１８の案内翼１９が回転板１３´の突出部１６の外側の長面を押す押圧作用をバネ３が行い、軸受ブラケット柱の前面２２に向かっている回転部材１８と、次の配列の軸受ブラケットの裏面２３との間の空間に位置するバネ３の両端に位置するように、バネ支持環８、８´が、回転軸２１により挿入させられて、バネ支持環８、８´が、バネ３の作用を増進させる。
【００２７】
本考案の好適な実施例は、以上に説明した通りであるが、本考案は、このような構成に制限されない。すなわち、本考案の思想や範囲内で様々な修正変更及び付加が可能である。
【図面の簡単な説明】
【００２８】
【図１】本考案の分離斜視図。
【図２】本考案の分離側面図。
【図３】本考案の結合斜視図。
【図４】本考案の分離斜視図。
【図５】本考案の結合図。
【図６】本考案の回転構造を示す斜視図。
【図７】本考案の使用状態図。
【符号の説明】
【００２９】
１、１´  電極プラグ
２、２´  電極
３  バネ
４、４−１  外部電極蛍光ランプ挿入口
５、５−１  外部電極蛍光ランプ
６、６´  軸受ブラケット
７、７´  支持台
８、８´  バネ支持環
９、９´  端子
１０、１０´  電源線
１１  回転軸挿入口
１２  三角柱
１３、１３´  回転板
１４、１４´  三角柱挿入部
１５、１５´  挿入口
１６  突出部
１７  案内溝
１８  回転部材
１９  案内翼
２０  案内突起
２１  回転軸
２２  軸受ブラケット柱の前面
２３  軸受ブラケット柱の裏面
２４、２４´、２４″  螺子穴
２６、２６´  軸受ブラケットベース
２７  電極ホルダ
２８、２８´  柱
２９、２９´  軸受ブラケット柱
３０  六角刑回転軸挿入口
【図１】
0003108563.tif 000003
【図２】
0003108563.tif 000004
【図３】
0003108563.tif 000005
【図４】
0003108563.tif 000006
【図５】
0003108563.tif 000007
【図６】
0003108563.tif 000008
【図７】
0003108563.tif 000009
【手続補正書】
【提出日】平成16年10月21日(2004.10.21)
【手続補正１】
【補正対象書類名】実用新案登録請求の範囲
【補正対象項目名】全文
【補正方法】変更
【補正の内容】
【実用新案登録請求の範囲】
【請求項１】
それぞれの三角柱の内部にランプを設ける三角柱の回転広告板の設置構造であって、
それぞれの三角柱の内部に電源線を設けず、前記ランプの第１及び第２電極プラグの第１及び第２電極を、三角柱に挿入されている回転板の挿入口に貫着し、前記第１電極プラグの第１電極を、第１軸受ブラケット柱に結合された第１支持台に結合されるようにし、前記第２電極プラグの第２電極を、電極ホルダに結合されるようにすることで、三角柱の回転中のとき、ランプは回転を行わず、三角柱のみが回転するように構成することを特徴とする三角柱の内部に照明装置が設けられている三角柱の回転広告板。
【請求項２】
それぞれの第１軸受ブラケット柱の前記第１支持台に結合されている前記第１電極を並設するために、前記第１電極と結合されている前記第１支持台に第１端子を結合するようにし、この結合されている多数の第１端子を第１電源線に連結されるように構成し、それぞれの電極ホルダに結合されている前記第２電極を並設するために、前記第２電極と結合されている前記電極ホルダと第２端子は、第２支持台により結合され、これらの多数の第２端子を第２電源線に連結されるように構成することを特徴とする請求項１に記載の三角柱の内部に照明装置が設けられている三角柱の回転広告板。
【請求項３】
第１電極プラグの前記第１電極が、前記第１軸受ブラケット柱に結合されている第１支持台に結合され、前記第２電極が、前記第２電極と結合されている前記電極ホルダにより第２軸受ブラケット柱に結合することで、三角柱の回転中のとき、ランプは回転を行わず、三角柱のみが回転するように構成することを特徴とする請求項１に記載の三角柱の内部に照明装置が設けられている三角柱の回転広告板。
【請求項４】
前記ランプが蛍光ランプである請求項１乃至請求項３の何れかに記載の三角柱の回転広告板。
【請求項５】
前記三角柱の回転広告板において、バネ、回転部材及び軸受ブラケット柱に、回転軸が挿着され、前記バネの押圧作用を受ける回転部材が、前記回転軸により回転され、
前記バネの押圧作用を受ける前記回転部材の案内翼は、三角柱を回転させる回転板が回転を行わず、停止している間、前記回転部材の前記案内翼が、前記バネの作用により、前記回転板の突出部の外側の長面を押しているため、前記突出部が常に一定の方向に置かれるようにすることで、前記三角柱が回転を行わず、停止している間、向きが常に一定に置かれるように構成することを特徴とする請求項１乃至請求項４の何れかに記載の三角柱の回転広告板。
【請求項６】
前記三角柱の回転広告板において、バネ、回転部材及び軸受ブラケット柱が挿入されている回転軸により連結され、
前記バネの両端に、バネ支持環が位置するように、前記回転軸により挿入されている前記バネ支持環は、三角柱を回転させる回転板が回転を行わず、停止している間、前記回転部材の案内翼が、前記バネの作用により前記回転板の突出部の外側の長面を押しているため、前記突出部が常に一定の方向に置かれるようにする前記バネの押圧作用を増進させるように構成することを特徴とする請求項１乃至請求項４の何れかに記載の三角柱の回転広告板。